(57)【要約】【課題】  水滴がかかった時にデータを失うリスクをより減少させることの可能な情報処理装置を提供することを目的とする。【解決手段】  水滴センサ１５により本体２に水がかかったことを検出し（ステップ１−１のＹｅｓ）、ＨＤＤ１６等の記憶装置に記憶されているデータの中で、保護するように予め指定されたデータが存在する時は（ステップ１−２のＹｅｓ）、当該データをＬＡＮ経由でサーバ４０に転送する（ステップ１−３）。保護されるべきデータをＬＡＮ経由でサーバ４０に転送した後は、水滴センサ１５により水を検出したことを、ＬＡＮ経由でネットワーク管理者に通知する（ステップ１−４）。コンピュータ１に水がかかったり水没したりする等してデータが破壊される危険性がある場合であっても、ネットワークを介してサーバ４０に転送することで必要なデータを保護することができる。【選択図】  図４
2008158762.tif 000002
【特許請求の範囲】
【請求項１】
サーバと通信可能な情報処理装置において、
本体と、
前記本体上面に設けられる水滴センサと、
前記本体上面上に前記水滴センサを覆うように設けられるキーボードと、
前記本体に設けられデータを記憶する第１の記憶装置と、
前記サーバと通信を行う通信手段と、
前記水滴センサにより前記本体上面に存在する水滴を検知した時、前記第１の記憶装置に記憶されるデータを前記通信手段を介して前記サーバに転送する転送手段と、を備えることを特徴とする情報処理装置。
【請求項２】
前記本体上面に設けられる通風口と、
前記本体に設けられ、前記通風口から前記キーボード下に空気を吹き付けるファンと、
を備えることを特徴とする請求項１記載の情報処理装置。
【請求項３】
前記第１の記憶装置に記憶されたデータの中で、特定のデータを指定する指定手段を備え、前記水滴センサにより前記本体上面に存在する水滴を検知した時、前記指定手段により指定されたデータを前記通信手段を介して前記サーバに転送することを特徴とする請求項１記載の情報処理装置。
【請求項４】
前記水滴センサにより水滴を検知した時、前記通信手段を介して、水滴を検知したことを前記サーバに通知する通知手段を有することを特徴とする請求項１記載の情報処理装置。
【請求項５】
前記本体に設けられる第２の記憶装置を有し、前記通信手段による前記サーバとの通信が不可能である時は、前前記指定手段により指定されたデータを前記第２の記憶装置に記憶することを特徴とする請求項１記載の情報処理装置。
【発明の詳細な説明】
【技術分野】
【０００１】
本発明は、情報処理装置に関し、特に水没時のデータ保護方法に関する。
【背景技術】
【０００２】
ノート型コンピュータやＰＤＡ（Ｐｅｒｓｏｎａｌ  Ｄｉｇｉｔａｌ  Ａｓｓｉｓｔａｎｃｅ）等に代表される情報処理装置は携帯性に優れ持ち運んで利用されることが多い。一方、デスクトップ型コンピュータ等に代表される据え置き型の機器と比較すると、ノート型コンピュータは持ち運んで様々な環境で使用されることから、落下による衝突や水の中への水没等コンピュータ本体の故障につながる事故が起こりやすい。
【０００３】
従来、水没による機器の故障を防止する技術として特許文献１に記載されているものが挙げられる。携帯端末装置が水没状態にあることを検出すると、電源から携帯端末装置へ供給されている電力を遮断し、本体内部の回路が短絡するのを防止する。水没等によるハードウェアの故障を減らし、本体内のデータの消失危険性を低減することができる。
【特許文献１】特開２００６−０５３８３３号公報
【発明の開示】
【発明が解決しようとする課題】
【０００４】
しかし、上記の方式の場合、水没したことによって本体に内蔵される記憶装置自体が壊れてしまった場合には必要なデータを保護することができない。
【０００５】
そこで本発明の目的は、水滴がかかった時にデータを失うリスクをより減少させることの可能な情報処理装置を提供することにある。
【課題を解決するための手段】
【０００６】
上記目的を達成するために本発明に係る情報処理装置は、サーバと通信可能な情報処理装置において、本体と、前記本体上面に設けられる水滴センサと、前記本体上面上に前記水滴センサを覆うように設けられるキーボードと、前記本体に設けられデータを記憶する第１の記憶装置と、前記サーバと通信を行う通信手段と、前記水滴センサにより前記本体上面に存在する水滴を検知した時、前記第１の記憶装置に記憶されるデータを前記通信手段を介して前記サーバに転送する転送手段と、を備えることを特徴とする。
【発明の効果】
【０００７】
本発明によれば水滴がかかった時にデータを失うリスクをより減少させることの可能な情報処理装置を提供することができる。
【発明を実施するための最良の形態】
【０００８】
以下本発明に係る実施の形態を、図面を参照して説明する。
【０００９】
図１は本発明の実施形態に係る情報処理装置を示す外観斜視図である。本実施形態では情報処理装置としてノート型のコンピュータ１を例に説明する。コンピュータ１は本体２を備え、本体２にはディスプレイユニット３がヒンジ部４を介して回動可能に取り付けられている。また、ディスプレイユニット３内にはＬＣＤ（Ｌｉｑｕｉｄ  Ｃｒｙｓｔａｌ  Ｄｉｓｐｌａｙ）５から構成される表示装置が組み込まれる。本体２内には複数の電子部品を搭載した回路基板が収容されている。本体２の前上面２ａにはタッチパッド６が取り付けられ、本体２の後上面２ｂにはキーボード６が取り付けられている。本体２の後上面２ｂにはコンピュータ１の電源をオン／オフするための電源スイッチ７も設けられている。
【００１０】
図２は本発明の実施形態に係る情報処理装置の分解斜視図である。キーボード６には係止片６ａが設けられ、係止片６ａとキーボード取付部８の前端８ａとが引っ掛かるように、キーボード６がキーボード取付部８に取り付けられる。キーボード６はネジ穴９を有し、ネジ１０によりキーボード取付部８に固定されるとともに、ネジ１０の上からは帯状のカバー１１が被せられる。キーボード取付部８の後端８ｂには通風口１２が設けられ、本体２に内蔵される図示しないファンからキーボード８取付部８に向かって風が送られる。キーボード取付部８には板状の水滴センサ１５が設けられ、水滴センサ１５に液体が存在する時と存在しない時の抵抗値あるいは静電容量の変化を検出することで液体の存在を検出することができる。
【００１１】
図３は本発明の実施形態に係るコンピュータの構成を示すブロック図である。
コンピュータ１には、ＣＰＵ２０、ノースブリッジ２１、主メモリ（ＲＡＭ）２２、グラフィックスコントローラ２３、ＶＲＡＭ２４、サウスブリッジ２５、ハードディスクドライブ（ＨＤＤ）２６、ＢＩＯＳ−ＲＯＭ２７、メモリカード２８、メモリカードコントローラ２９、ＬＡＮコントローラ３０、エンベデッドコントローラ／キーボードコントローラＩＣ（ＥＣ／ＫＢＣ）３２、ファン３７、およびＬＣＤ５、キーボード７、電源スイッチ８、水滴センサ１５、等が設けられている。
【００１２】
ＣＰＵ２０は、コンピュータ１の各コンポーネントの動作を制御するプロセッサである。このＣＰＵ２０は、ＨＤＤ２６から主メモリ（ＲＡＭ）２２にロードされるオペレーティングシステムおよび各種アプリケーションプログラム／ユーティリティプログラムを実行する。主メモリ（ＲＡＭ）２２は、各種データバッファの格納にも用いられる。  また、ＣＰＵ２０は、ＢＩＯＳ−ＲＯＭ２７に格納されたＢＩＯＳ（Basic Input Output System）も実行する。ＢＩＯＳはハードウェア制御のためのプログラムである。
【００１３】
ノースブリッジ２１は、ＣＰＵ２０のローカルバスとサウスブリッジ２５との間を接続するブリッジデバイスである。また、ノースブリッジ２１は、ＡＧＰ（Accelerated Graphics Port）バスなどを介してグラフィックスコントローラ２３との通信を実行する機能も有している。さらに、ノースブリッジ２１には、主メモリ（ＲＡＭ）２２を制御するメモリコントローラも内蔵されている。
【００１４】
グラフィクスコントローラ２３は本コンピュータ１のディスプレイモニタとして使用されるＬＣＤ５を制御する表示コントローラである。このグラフィクスコントローラ２３は、ＯＳまたはアプリケーションプログラムによってビデオメモリ（ＶＲＡＭ）２４に書き込まれた表示データに対応する映像信号をＬＣＤ５に送出する。
【００１５】
サウスブリッジ２５は、ＰＣＩ（Peripheral Component Interconnect）バスおよびＬＰＣ（Low Pin Count）バスにそれぞれ接続されている。ＨＤＤ２６は、ＯＳや各種のアプリケーションプログラムを格納する。メモリカード２８を制御するメモリカードコントローラ２９はＰＣＩバスを介してサウスブリッジ２５に接続され、ＬＡＮコントローラ３０はＰＣＩ−Ｅｘｐｒｅｓｓバスを介してサウスブリッジ２５に接続される。コンピュータ１はＬＡＮ（Ｌｏｃａｌ  Ａｒｅａ  Ｎｅｔｗｏｒｋ）に接続され、接続方式は有線でも無線でも良い。ＬＡＮコントローラ３０はサーバ４０との接続状態の検出や認証等を行う。
【００１６】
エンベデッドコントローラ／キーボードコントローラ（ＥＣ／ＫＢＣ）３２は、電源管理のためのエンベデッドコントローラと、タッチパッド６およびキーボード７などを制御するキーボードコントローラとが集積された１チップマイクロコンピュータである。ＥＣ／ＫＢＣ３２は、電源回路３３と共同して、ユーザによる電源スイッチ８の操作に応答してコンピュータ１をパワーオン／パワーオフする処理を実行する。電源回路３３は、コンピュータ１に内蔵されたバッテリ３４からの電力、またはＡＣアダプタ３５を介して外部から供給される電力を用いて、コンピュータ１内の各コンポーネントに供給すべき電力を生成する。
【００１７】
ファン３７は本体２の内部に設けられ、ファン３７が駆動することで、通風口１２からキーボード取付部８に向かって風が送られる。水滴センサ１５によって水滴が検出されると、ＥＣ／ＫＢＣ３２によってファン３７の駆動が制御される。水滴を検出した時点で、ファン３７を駆動しキーボード取付部８を乾燥させることで、本体２内への浸水を防ぐことができる。
【００１８】
図４は本発明の実施形態に係るデータ保護の動作を示すフローチャートである。水滴センサ１５により本体２に水がかかったことを検出すると（ステップ１−１のＹｅｓ）、ＨＤＤ１６等の記憶装置に記憶されているデータの中で、保護するように予め指定されたデータが存在するかどうか確認する（ステップ１−２）。保護するように予め指定されたデータが存在する時は（ステップ１−２のＹｅｓ）、当該データをＬＡＮ経由でサーバ４０に転送する（ステップ１−３）。保護されるべきデータをＬＡＮ経由でサーバ４０に転送した後は、水滴センサ１５により水を検出したことを、ＬＡＮ経由でネットワーク管理者に通知する（ステップ１−４）。例えば、水滴センサ１５により水を検出した時に、コンピュータ１からネットワーク管理者に自動的にメールが送信されるようにしても良い。保護するように予め指定されたデータが存在しない時は（ステップ１−２のＮｏ）、データの転送は行う必要はないが、水滴センサにより水を検出したことをＬＡＮ経由でネットワーク管理者に通知する（ステップ１−４）。このような動作をさせることにより、コンピュータ１に水がかかったり水没したりする等してデータが破壊される危険性がある場合であっても、ネットワークを介してサーバ４０に転送することで必要なデータを保護することができる。
【００１９】
図５は本発明の他の実施形態に係るデータ保護の動作を示すフローチャートである。メモリカード２８の中には耐水性を有したものがあり、このような水滴に強い記憶装置が使用できる時は、図４に示した動作と異なる動作でデータを保護することも可能である。
【００２０】
水滴センサにより本体２に水がかかったことを検出すると（ステップ２−１のＹｅｓ）、保護するように予め指定されたデータが存在するかどうか確認する（ステップ２−２）。保護するように予め指定されたデータが存在する時は（ステップ２−２のＹｅｓ）、コンピュータ１がネットワークに接続されているか確認しネットワークに接続されている時は（ステップ２−３のＹｅｓ）、ＬＡＮ経由で保護するべきデータを管理者サーバに転送する（ステップ２−４）。水滴センサにより水を検出した時に、コンピュータ１がネットワークに接続されていない時は（ステップ２−３のＮｏ）、メモリカードに保存可能な領域があるかどうか確認する（ステップ２−５）。メモリカードに保存可能な領域がある場合は（ステップ２−５のＹｅｓ）、保護するように予め指定されたデータをメモリカード２８に保存する（ステップ２−６）。メモリカード２８が装着されていない場合や、メモリカード２８の空き容量が足りない場合は（ステップ２−５のＮｏ）、本体２内に設けられたＨＤＤ１６に当該データを保存する（ステップ２−７）。
【００２１】
保護されるべきデータをＬＡＮ経由でサーバ４０に転送した後は、水滴センサ１５により水を検出したことを、ＬＡＮ経由でネットワーク管理者に通知する（ステップ２−８）。保護するように予め設定されたデータが存在しない時は（ステップ２−２のＮｏ）、データの転送は行う必要はないが、水滴センサ１５により水を検出したことをＬＡＮ経由でネットワーク管理者に通知する（ステップ２−８）。このような動作をさせることにより、コンピュータ１に水がかかったり水没したりする等してデータが破壊される危険性がある場合であっても、ネットワークを介してサーバ４０に転送することで必要なデータを保護することができる。また、コンピュータ１がネットワークに接続されていない場合であっても、例えば耐水性を有するメモリカード２８のような記憶装置に保護されるべきデータを保存することで、データ破壊の危険性を減らすことができる。メモリカード２８のような記憶装置が使用できない場合であっても、本体内に設けられたＨＤＤ１６にデータを保存し、データ破壊の危険性を減らすことができる。
【００２２】
本発明ではその主旨を逸脱しない範囲であれば、上記の実施形態に限定されるものではなく種々の変形が可能である。
【図面の簡単な説明】
【００２３】
【図１】本発明に係る情報処理装置を示す外観斜視図。
【図２】本発明の実施形態に係る情報処理装置の分解斜視図。
【図３】本発明の実施形態に係るコンピュータの構成を示すブロック図。
【図４】本発明の実施形態に係るデータ保護の動作を示すフローチャート。
【図５】本発明の他の実施形態に係るデータ保護の動作を示すフローチャート。
【符号の説明】
【００２４】
１…コンピュータ、２…本体、３…ディスプレイユニット、４…ヒンジ部、５…ＬＣＤ、６…キーボード、７…電源スイッチ、８…キーボード取付部、１２…通風口、１５…水滴センサ、２０…ＣＰＵ、２１…ノースブリッジ、２２…主メモリ、２３…グラフィックスコントローラ、２５…サウスブリッジ、２６…ＨＤＤ、２８…メモリカード、２９…メモリカードコントローラ、３０…ＬＡＮコントローラ、３７…ファン、４０…サーバ
【図１】
2008158762.tif 000003
【図２】
2008158762.tif 000004
【図３】
2008158762.tif 000005
【図４】
2008158762.tif 000006
【図５】
2008158762.tif 000007